(57)【要約】【課題】現場職人、或いは一般人が地べらを用いてカッテング作業を行う際に、カッターナイフによる事故を未然に回避して安全に作業できるようにすること。【解決手段】把持部１の少なくとも一側面において、へら２の付け根部の近傍に沿って防刃体３を設けてある。【選択図】      図１
2006248209.tif 000002
【特許請求の範囲】
【請求項１】
地べらであって、
把持部１の少なくとも一側面において、へら２の付け根部の近傍に沿って防刃体３を設けてあることを特徴とする地べら。
【請求項２】
前記防刃体３が、トグル機構４を介して、起立位置が弾性附勢により維持されるように、兆番５によって倒伏自在に設けられている請求項１の地べら。
【請求項３】
前記防刃体３が、倒伏時に杷持部１に略々収納されるように構成されている請求項２の地べら。
【請求項４】
前記防刃体３が硬質素材により棒状に構成され、把持部１に突出固定されている請求項１の地べら。
【請求項５】
前記防刃体３が軟質素材により棒状に構成され、把持部１に突出固定されている請求項１の地べら。
【発明の詳細な説明】
【技術分野】
【０００１】  本発明は、クロス貼り作業等で使用する地べらの改良に関する。
【背景技術】
【０００２】  一般に、地べらは、把持部と、薄いへらとから構成されており、小型のものでは十数センチから大型のものでは３０センチを超えるものもある。
こうした地べらは、クロス貼り作業においては、その一つの機能として、クロスの端（ミミ）切り時、端合わせの為の重ね切り時のカッターナイフに対する定規の役割を果たす。【０００３】  前記把持部は通常木製で、へらはスチール製が主流であるが、それぞれがプラスチック製のものも多用されている。【０００４】  こうした地べらとしては、次のものが知られている。
【特許文献１】実用新案公開平６−５９０９９。定規用地べら。
【発明の開示】
【発明が解決しようとする課題】
【０００５】  上述した地べらの使用において、これをカッターナフの定規として用いる際に、へらが薄く構成（０．５ｍｍから２ｍｍ）されているために、カッターナイフを勢いよく、力を入れてへらに沿って移動させる際に、手元が狂うと、ナイフがそのへらの上に乗り上げ、制御不能の状態となり、これによって、把持部を握っている手を切りつけてしまうことが頻繁に生じていた。また、この事故は、特に、へらをプラスチック製としたものに多発していた。【０００６】  こうした事故は、現場の熟練の職人であっても、不注意によって多々発生しており、非常に危険であった。かかる事故は、当然ながら作業者の不注意によるものであるので、自ら細心の注意を払うようにするという方法でしか対処してこなかった。
しかし、作業現場の状況、就労時の職人の体調、急ぎの作業等、常に冷静で性格なカッテング作業を行い得るとは限らず、結果として事故を防ぐことは出来難いのが現実であった。【０００７】  本発明は、かかる現状に鑑み、現場職人、或いは一般人が地べらを用いてカッテング作業を行う際に、カッターナイフによる事故を未然に回避して安全に作業できるようにすることを目的とする。
【課題を解決するための手段】
【０００８】  本発明にかかる地べらは、上記目的を達成するために、把持部１の少なくとも一側面において、へら２の付け根部の近傍に沿って防刃体３を設けてある、という手段を講じたものである。【０００９】  本発明に言う地べらとは、その構成、木製、スチール、プラスチック素材を問わないものであり、また、大きさ、形状を問わない。
また、へら２の付け根部の近傍とは、把持部１から突出するへら２の突出部を指すが、その境界部から少し把持部１の内側に入った位置を含むもので、実質的にカッターナイフがへら２の上を滑ってきたときに衝突乃至接触する位置であればよい。
【発明の効果】
【００１０】  本発明によれば、クロス貼り現場等、地べらを使用する現場において、地べらを用いてカッテング作業を行う際に、万一、カッターナイフが誤ってへら２の上に乗り上げて、把持手に向かっても、そのへら２の付け根側の把持部１に防刃体３が設けられていることで、事故を起し易い一般人は勿論のこと、職人であっても、カッターナイフによる手、指に対する怪我を未然に回避して安全に作業できるのである。
【発明を実施するための最良の形態】
【００１１】  本発明の実施において、前記防刃体３が、トグル機構４（不安定切り替え機構）を介して、起立位置が弾性附勢により維持されるように、兆番５によって、倒伏自在に設けられているのが好ましい。
この場合、不使用時には防刃体３を倒伏させ、他の作業を行い易く出来て、カッテング作業時には、指で起立させて、その不安定切り替えによって、起立位置を維持させて防刃機能を発揮させることができる。【００１２】  また、前記防刃体３が、倒伏時に杷持部１に略々収納されるように構成されているのが好ましい。
この場合、カッテング作業時以外の地べらの作業を行う上において、壁の隅の部分等に当てがう場合等、防刃体３が突出していては邪魔ｍになるので、これが杷持部１に収納されていることで、他の作業をスムースに行うことが出来る。【００１３】  更に、前記防刃体３が硬質素材により棒状に構成され、把持部１に突出固定されていても良い。
この場合には、へら２に乗り上げて把持手に向かうナイフがこの防刃体３に接当し、結果として鍔の役目を果たして、ナイフの移動方向を変えることができる。勿論、防刃体３に衝突した際に、そのスピードが減じられることにもなるので、把持手の損傷を免れる。【００１４】  更に、前記防刃体３が軟質素材により棒状に構成され、把持部１に突出固定されているようにしても良い。
このように構成することで、へら２に乗り上げて把持手に向かうナイフがこの防刃体３に接当した際に、軟質であるが故に、ナイフが防刃体３に切り込み、動きを完全に止め、或いは切り込みが外れても、更に手指を損傷するほどのスピードが残ることが無いと共にその減速状況下では手に対する制御力を効かせることが可能である。その結果として、ナイフが勢い余って把持手に向かって手指を損傷するのを未然に回避できる。
【実施例１】
【００１５】  図１及び図２に示すように、ここでは木製の把持部１の一側面において、スチール製のへら２の付け根部の近傍に沿って防刃体３を設けてある。この防刃体３は、ここではスチール製で、トグル機構４を介して、起立位置が弾性附勢により維持されるように、兆番５を用いて倒伏自在に設けられている。この防刃体３の杷持部１に対する取り付け固定は、接着としているが、リベット、ねじ止め等の適宜の手段を用いてよい。【００１６】  前記トグル機構４とは、ばね４ａを、その一端を前記防刃体３に取り付け、他端を、前記兆番５の回動軸芯を通る位置よりも偏移、ここでは、へら２側に偏移させて取り付け、以って、デッドポイント（直立位置よりも僅かに手前にある）を超えたところで防刃体３を起立維持するための構成である。この起立位置では、防刃体３の下端部３ａが把持部１の表面に対する当たりの役目を果たす。【００１７】  従って、図１及び図２の仮想線で示すように、必要時には、その防刃体３を立ち上げ、維持させてカッテング作業作業を行い、終われば、図２に実線で示す如く、倒伏させて他の作業を行うことが出来る。
【実施例２】
【００１８】  ここでは、図３に要部を拡大して示すように、木製の把持部１の一側面において、スチール製のへら２の付け根部の近傍に沿って防刃体３を設け、その防刃体３が、スチール製で、枢支軸８を用いて、ばね手段６により、常時起立位置に、倒伏自在に弾性附勢されている。この防刃体３の杷持部１に対する取り付けは、杷持部１に凹所を刻設し、この内部に設けている。【００１９】  前記ばね手段６とは、コイルばね６ａを、その一端を前記防刃体３に取り付け、他端を、前記杷持部１の一側に取り付け、常時体３を起立維持に附勢する構成を採っており、倒伏させたときに、前記防刃体３に設けたフック３ｂが、杷持部１に設けた係合解除レバー７に係合起し、倒伏位置が維持されるように構成されている。従って、この係合解除レバーを係合解除方向に操作することで、コイルばね６ａによって前記防刃体３が起立するのである。
【実施例３】
【００２０】  この実施例は、図４示すように、ここでは木製の把持部１の一側面において、スチール製のへら２の付け根部の近傍に沿って防刃体３を設けてあるが、その防刃体３は、硬質素材、ここではスチールにより棒状、ここでは断面が略三角形に構成され、把持部１に突出固定されている。【００２１】  これによって、カッターナイフがこの防刃体３に接当したときに、鍔の役目をして、カッターナイフの方向を逸らすことが出来、その結果、手、指の切傷を回避できる。
【実施例４】
【００２２】  この実施例は、図５示すように、ここでは木製の把持部１の一側面において、スチール製のへら２の付け根部の近傍に沿って防刃体３を設けてあるが、その防刃体３は、軟質素材、ここでは軟質プラスチックにより棒状、ここでは断面が略半円形に構成され、把持部１に接着剤で突出固定されている。尚、この軟質素材としては、木、ゴム等でも良い。【００２３】  この軟質の防刃体３によって、カッターナイフが、へら２の上に乗り上げ、衝突したときに、刃がその防刃体３に喰い込み、勢いを止めることになる。また、その際、喰い込みが外れても、滑りのスピードを減じることができるので、改めて抑制作用を働かせる余裕が生じ、手、指に対して危険な状態となることがない。
【産業上の利用分野】
【００２４】  本発明にかかる地べらは、クロス作業にかかわらず、その他の目的で、カッターナイフの定規として使用される場合に有効であるところから、種々の業種で有効である。
【図面の簡単な説明】
【００２５】
【図１】実施例１における地べらの斜視図。
【図２】実施例１における地べらの側面図。
【図３】実施例２における地べらの要部の縦断側面図。
【図４】実施例３における地べらの斜視図
【図５】実施例４における地べらの斜視図。
【符号の説明】
【００２６】  １：把持部
２：へら
３：防刃体
４：トグル機構
５：兆番
【図１】
2006248209.tif 000003
【図２】
2006248209.tif 000004
【図３】
2006248209.tif 000005
【図４】
2006248209.tif 000006
【図５】
2006248209.tif 000007